(57)【要約】【課題】ケーブルを絡ませないで整然と収容でき、新しいケーブルの引き込み作業も容易に行える電線共同溝用トラフを提供する。【解決手段】トラフ本体１の内部に、複数のケーブル挿通孔３ａを形成したケーブル支持板３が、トラフ本体の長手方向に一定間隔をあけて複数枚立設され、蓋体２がトラフ本体１に被着された構成の電線共同溝用トラフとする。ケーブル挿通孔３ａにケーブルを挿通して支持させることにより、ケーブルを互いに絡ませることなく整然と並べた状態で収容することができ、余っているケーブル挿通孔３ａを利用して新しいケーブルの引き込み作業も容易に行える。【選択図】　図１
2004120874.tif 000002
【特許請求の範囲】
【請求項１】
トラフ本体の内部に、複数のケーブル挿通孔を形成したケーブル支持板が、トラフ本体の長手方向に一定間隔をあけて複数枚立設され、蓋体がトラフ本体に被着されていることを特徴とする電線共同溝用トラフ。
【請求項２】
トラフ本体の少なくとも両側壁の内面に、相対向する複数組の縦溝がトラフ本体の長手方向に一定間隔をあけて形成され、ケーブル支持板の両側縁が各組の縦溝に嵌挿されてケーブル支持板が立設されている請求項１に記載の電線共同溝用トラフ。
【請求項３】
ケーブル支持板の上縁が蓋体の下面に当接している請求項１又は請求項２に記載の電線共同溝用トラフ。
【請求項４】
ケーブル支持板のケーブル挿通孔がベルマウス形状に形成されている請求項１ないし請求項３のいずれかに記載の電線共同溝用トラフ。
【請求溝５】ケーブル支持板に、ケーブル挿通孔が横一列に並べられて上下に間隔をあけて複数列形成されている請求項１ないし請求項４のいずれかに記載の電線共同溝用トラフ。
【請求溝６】ケーブル支持板に、電力用のケーブル挿通孔と通信用のケーブル挿通孔が形成され、電力用のケーブル挿通孔に挿通される電力ケーブルと通信用のケーブル挿通孔に挿通される通信ケーブルとを隔離する電磁波遮断用の仕切り板が、ケーブル支持板の相互間に設けられている請求項１に記載の電線共同溝用トラフ。
【発明の詳細な説明】
【０００１】
【発明の属する技術分野】
本発明は幅員の狭い歩道等に埋設される小型の電線共同溝用トラフに関する。
【０００２】
【従来の技術】
近年、新地中化計画に基づき、電線共同溝の整備が進められている。電線共同溝を幅員の狭い歩道や歩道のない道路区間に施工する場合は、電線共同溝をコンパクト化する必要があるため、小型の電線共同溝用トラフを歩道等の舗装の表層下に埋設して、このトラフの内部に各種の通信ケーブルなどを収容することが好ましい。
【０００３】
【発明が解決しようとする課題】
しかしながら、小型の電線共同溝用トラフの内部に、光ケーブルやＣＡＴＶケーブルなどの多数の通信ケーブルを引き込むと、ケーブル同士が絡み合って雑然とした状態で収容されるため、ケーブルの種類等が分かり難くなる上に、追加の新しいケーブルを引き込もうとしても、絡み合ったケーブルが邪魔になって容易に新しいケーブルを引き込むことができないという問題がある。
【０００４】
また、上記のように歩道等の舗装の表層下に電線共同溝用トラフを埋設する場合は、トラフが押し潰されないように耐圧強度を高めることも必要になる。
【０００５】
また、電線共同溝のコンパクト化を図るためには、低圧の電力ケーブルなども上記のトラフに収容することが好ましいが、通信ケーブルと電力ケーブルを一緒に収容すると、通信ケーブルが電磁波の影響を受けるという問題がある。
【０００６】
本発明はこれらの問題に対処すべくなされたものであって、ケーブルを絡ませないで整然と収容でき、新しいケーブルの引き込み作業も容易に行える、耐圧強度の大きい電線共同溝用トラフを提供することを第一の目的としている。そして、電磁波の影響を受けないで通信ケーブルと電力ケーブルを一緒に整然と収容できる電線共同溝用トラフを提供することを第二の目的としている。
【０００７】
【課題を解決するための手段】
上記目的を達成するため、本発明の電線共同溝用トラフは、トラフ本体の内部に、複数のケーブル挿通孔を形成したケーブル支持板が、トラフ本体の長手方向に一定間隔をあけて複数枚立設され、蓋体がトラフ本体に被着されていることを特徴とするものである。
【０００８】
このような電線共同溝用トラフは、各ケーブル支持板のケーブル挿通孔にケーブルをそれぞれ挿通することによって、ケーブルを絡ませないで平行に整然と並べてトラフ内に収容することができ、ケーブルの種類に応じてケーブル挿通孔を定めておけば、ケーブルを種類別に分けて収容することができる。そして、追加の新しいケーブルを引き込む場合は、引き込み用のワイヤーなどを用いて、各ケーブル支持板の余っているケーブル挿通孔に新しいケーブルを通すことにより、整然と並べた状態で容易に引き込むことができる。
【０００９】
本発明の電線共同溝用トラフにおいては、トラフ本体の少なくとも両側壁の内面に、相対向する複数組の縦溝をトラフ本体の長手方向に一定間隔をあけて形成し、ケーブル支持板の両側縁を各組の縦溝に嵌挿してケーブル支持板を立設することが望ましい。このようなトラフは、ケーブル支持板の立設作業を極く簡単に行える利点がある。
【００１０】
また、本発明のトラフにおいては、ケーブル支持板の上縁を蓋体の下面に当接させることが望ましい。このようにすると、蓋体がケーブル支持板により下方から支えられて耐圧強度が向上するため、蓋体が割れたりトラフ本体が押し潰されたりし難くなる。
【００１１】
ケーブル支持板のケーブル挿通孔は、ベルマウス形状、即ち、先端に近づくにつれて孔径が漸増する先広がり形状に形成することが望ましい。このようなベルマウス形状のケーブル挿通孔を形成すると、ケーブルが通り易くなって、孔縁部に引掛かることなくスムーズにケーブルが挿通されるので、ケーブルの損傷を防止することができ、損傷部分から侵入する水分によってトラブルが発生するのを防止することができる。
【００１２】
ケーブル挿通孔は、ケーブル支持板に横一列に並べられて上下に間隔をあけて複数列形成されることが望ましい。このようにケーブル挿通孔を複数列形成すると、例えば、下側の列のケーブル挿通孔には収容すべきケーブルを挿通し、上側の列のケーブル挿通孔には、トラフの側方へ引き出すべきケーブルを挿通することによって、下側のケーブルと接触しないようにケーブルをトラフ側方へ引き出すことができる。
【００１３】
また、本発明の電線共同溝用トラフでは、そのケーブル支持板に、電力用のケーブル挿通孔と通信用のケーブル挿通孔を形成し、電力用のケーブル挿通孔に挿通される電力ケーブルと通信ケーブル挿通孔に挿通される通信ケーブルとを隔離する電磁波遮断用の仕切り板を、ケーブル支持板の相互間に設けた構成としてもよい。このような構成のトラフは、電磁波遮断用の仕切り板が設けられているので、電磁波の影響を受けることなく通信ケーブルと電力ケーブルを一緒に収容することが可能であり、電線共同溝のより一層のコンパクト化に役立つ。
【００１４】
【発明の実施の形態】
以下、図面を参照して本発明の具体的な実施形態を詳述する。
【００１５】
図１は本発明の一実施形態に係る電線共同溝用トラフの分解斜視図、図２は同電線共同溝用トラフのトラフ本体の平面図、図３は同トラフに使用されるケーブル支持板の正面図、図４は同ケーブル支持板のＡ−Ａ線拡大断面図、図５は同トラフの断面図、図６は同トラフの埋設施工状態を示す概略断面図である。
【００１６】
この実施形態に係る電線共同溝用トラフは、図１に示すように、トラフ本体１と、二枚の蓋体２と、数枚（図１では７枚）のケーブル支持板３によって構成されている。
【００１７】
トラフ本体１は、コンクリートで成形されたＵ字形の断面形状を有する樋状の長尺成形体であって、図１，図２に示すように、トラフ本体１の両側壁１ａ，１ａの上端には蓋受段部１ｂ，１ｂが形成されている。そして、この両側壁１ａ，１ａの内面には、相対向する複数組（図１，図２では７組）の縦溝１ｃ，１ｃがトラフ本体１の長手方向に一定間隔をあけて形成されており、この縦溝１ｃ，１ｃの下端同士をつなぐ横溝１ｄが底壁１ｅの上面に同じ間隔をあけて形成されている。この横溝１ｄは、後述するようにケーブル支持板３の下縁３ｅを嵌め込むための溝であり、省略してもよいものである。
【００１８】
トラフ本体１は、コンクリート以外の材料、例えばＳＭＣ（シートモールディングコンパウンド）や他の合成樹脂等で成形してもよく、その場合はトラフ本体１の肉厚を薄くして、耐圧強度や剛性を高めるための補強リブを設けることが好ましい。
【００１９】
このトラフ本体１に被せる蓋体２は、コンクリート等で矩形板状に成形されており、トラフ本体１に二枚被着できるように蓋体２の長さがトラフ本体１の長さの半分とされている。これらの蓋体２は、図５に示すように、その両側縁をトラフ本体１の蓋受段部１ｂ，１ｂに係止することによって、脱着可能に被着されている。なお、これらの蓋体２を前記のＳＭＣや合成樹脂で成形しても勿論よい。
【００２０】
ケーブル支持板３は、図１、図３、図４に示すような長方形の板であり、合成樹脂製のものが好ましく使用されるが、金属製のものも使用される。図３に示すように、このケーブル支持板３の下部には複数（９つ）のケーブル挿通孔３ａが横一列に並んで設けられており、各ケーブル挿通孔３ａは、図４に示すように、先端に近づくにつれて孔径が漸増する先広がり形状（所謂、ベルマウス形状）に形成されている。このようなベルマウス形状のケーブル挿通孔３ａを設けると、ケーブル４がケーブル挿通孔３ａの孔縁部に引掛かることなくスムーズに挿通されるので、ケーブル４の損傷を防止することができ、損傷部分から浸入する水分水によってトラブルが発生するのを防止することができる。
【００２１】
このベルマウス形状のケーブル挿通孔３ａは、図４に示すようにケーブル支持板３と一体に形成してもよいし、場合によっては金属等で強度の大きいベルマウス形状のケーブル挿通孔３ａを別個に形成してケーブル支持板３に取付けるようにしてもよい。また、上記のケーブル挿通孔３ａは、ケーブル支持板３の前後両側に突き出すように形成されているが、前後いずれか片側に突き出すように形成し、この突き出したケーブル挿通孔がケーブル４を挿し込む側となるようにケーブル支持板３をトラフ本体１内に立設してもよい。
【００２２】
上記のケーブル支持板３は、その四周縁（上縁３ｂと左右側縁３ｃ，３ｄと下縁３ｅ）がトラフ本体１の前記縦溝１ｃ，１ｃ及び横溝１ｄの溝幅にほぼ等しい幅寸法を有する方形枠状に形成されており、図１，図４に示すように、トラフ本体１の縦溝１ｃ，１ｃと横溝１ｄにケーブル支持板３の左右側縁３ｃ，３ｄと下縁３ｄを上方から嵌挿することによって、ガタツキなく立設されている。このように嵌挿してケーブル支持板３を立設すると、固定用の金具等が一切不要となるので部品点数が減少し、ケーブル支持板３の立設作業を極く短時間で効率良く行うことができる。尚、トラフ本体１の縦溝１ｃ，１ｃや横溝１ｄに代えて、両側壁１ａ，１ａや底壁１ｅから前後一対の挟持片をそれぞれ突設し、挟持片と挟持片の間の凹溝部にケーブル支持板３を嵌挿してガタツキなく立設してもよい。
【００２３】
ケーブル支持板３の相互間隔（換言すれば縦溝１ｃ，１ｃ及び横溝１ｄの相互間隔）は特に限定されないが、例えば０．３〜１ｍ程度に設定することが好ましい。この程度の間隔にすれば、ケーブル挿通孔３ａに挿通したケーブル４が大きく下方にたわまないようにほぼ直線に近い状態で支持することができる。
【００２４】
図１，図５に示すように、ケーブル支持板３をトラフ本体１の内部に立設した状態では、ケーブル支持板３の上縁３ｂとトラフ本体１の蓋受段部１ｂ，１ｂが同じ高さになっている。従って、蓋体２をトラフ本体１に被着すると、ケーブル支持板３の上縁３ｂが蓋体２の下面に当接して蓋体２を下方から支えるため、上方から作用する圧力に対する耐圧強度が向上し、蓋体２が割れたりトラフ本体１が押し潰されたりし難くなる。また、トラフ本体１の両側壁１ａ，１ａもケーブル支持板３によって内側から支えられるので、左右からトラフ本体１に作用する土圧に対する耐圧強度も向上する。このような耐圧強度の向上効果は、上述したようにケーブル支持板３の相互間隔が０．３〜１ｍ程度であると、充分に発揮される。
【００２５】
以上のような構成の電線共同溝用トラフは、図６に示すように、トラフ本体１を幅員の狭い歩道５の舗装の表層５ａ下に敷設すると共に、各ケーブル支持板３のケーブル挿通孔３ａに光ケーブルやＣＡＴＶケーブル等の通信ケーブル４を挿通して、各ケーブル４を絡まないように平行に整然と並べた状態でトラフ本体１内に収容し、蓋体２をトラフ本体１に被着して、舗装の表層５ａ下に埋設される。その場合、ケーブル４の種類に応じて挿通するケーブル挿通孔３ａを定めておき、ケーブル４を種類ごとに分けて整然と収容すると、後の工事のときにケーブル４の種類をすぐに判別できるので便利である。また、追加の新しいケーブルを引き込む場合は、引き込み用のワイヤーなどを用いて、各ケーブル支持板３の余っているケーブル挿通孔３ａに新しいケーブルを挿通することにより、新しいケーブルも整然と並べた状態で収容することができる。
【００２６】
なお、上記の電線共同溝用トラフには電力ケーブルが収容されないので、図６に示すように、電力ケーブル６は樹脂管７に挿通されてトラフの下方に埋設される。また、通信幹線を収容した大径の基管（不図示）やフリーアクセス管（不図示）なども、トラフの下方に埋設される。
【００２７】
図７は本発明の他の実施形態に係る電線共同溝用トラフの断面図である。
【００２８】
この電線共同溝用トラフは、ケーブル支持板３にケーブル挿通孔３ａが横一列に並べられて上下に間隔をあけて複数列形成されている。このトラフでは、二列のケーブル挿通孔３ａが形成されているが、三列以上形成しても勿論よい。
【００２９】
このトラフの他の構成は前述したトラフと同様であるので、図７において同一部材に同一符号を付すこととし、説明を省略する。
【００３０】
このトラフのようにケーブル挿通孔３ａを二列形成すると、多数のケーブル４を収容できることは言うまでもないが、例えば、下側の列のケーブル挿通孔３ａに、収容すべきケーブル４を挿通し、上側の列のケーブル挿通孔３ａに、トラフ本体１の側方へ引き出すべきケーブル４ａを挿通することによって、上側のケーブル４ａを下側のケーブル４と接触しないようにトラフ側方へ引き出すことができるので、好都合である。
【００３１】
図８は本発明の更に他の実施形態に係る電線共同溝用トラフの断面図である。
【００３２】
この電線共同溝用トラフは、ケーブル支持板３の片側（図８では右側）に、孔径の大きい電力用のケーブル挿通孔３ｆを設けると共に、反対側に通信用のケーブル挿通孔３ａを横一列に並べて上下に二列形成し、電力用のケーブル挿通孔３ｆに挿通される低圧の電力ケーブル６と通信ケーブル挿通孔３ａに挿通される通信ケーブル４とを隔離する電磁波遮断用の仕切り板８を、ケーブル支持板３の相互間に設けている。
【００３３】
仕切り板８としては、電磁波遮断作用に優れた鉄板等が好適に使用される。また、電力用のケーブル挿通孔３ｆは、通信用のケーブル挿通孔３ａと同様にベルマウス形状に形成され、電力ケーブル６を引き込む際に傷が付かないように配慮されている。
【００３４】
このトラフの他の構成は前述したトラフと同様であるので、図８において同一部材に同一符号を付すこととし、説明を省略する。
【００３５】
このようなトラフは、通信用のケーブル挿通孔３ａに通信ケーブル４を挿通すると共に、電力用のケーブル挿通孔３ｆに電力ケーブル６を挿通することによって、通信ケーブル４と電力ケーブル６を整然と並べて隔離した状態でトラフ本体１内に一緒に収容することができ、このように一緒に収容しても、電力ケーブル６から出る電磁波が電磁波遮断用の仕切り板８によって遮断されるため、通信ケーブル４に悪影響を及ぼす心配はない。従って、このトラフを採用すれば、電力ケーブル６を通す樹脂管をトラフの下側に埋設することが不要となるので、電線共同溝を一層コンパクト化することができる。
【００３６】
以上、代表的な実施形態を挙げて本発明の電線共同溝用トラフを説明したが、本発明はこれらの実施形態のみに限定されるものではなく、種々の変更態様を許容し得るものである。例えば、ケーブル支持板として、図９に示すような楕円形のケーブル挿通孔３ａを形成したケーブル支持板３を使用してもよく、また、図１０に示すように板材を格子状に組んだケーブル支持板３を使用して、それぞれの桝目３ａをケーブル挿通孔としてケーブルを挿通、支持させるようにしてもよい。格子状のケーブル支持板３は多数の桝目３ａを有するので、多数のケーブルを整然と並べて収容できる利点がある。尚、格子状のケーブル支持板３は、ケーブルの当たるエッジ部分にアールを設けてケーブルに傷がつかないようにすることが望ましく、特に、丸棒を格子状に組んだケーブル支持板を使用すると、ケーブルの傷を確実に防止することができる。
【００３７】
【発明の効果】
以上の説明から明らかなように、本発明の電線共同溝用トラフは、ケーブルを絡まないように整然と並べた状態で収容することができ、ケーブルの種類に応じて挿通するケーブル挿通孔を定めておけば、ケーブルを種類別に分けて収容することもでき、また、余っているケーブル挿通孔を利用して追加の新しいケーブルも整然と並べた状態で容易に引き込んで収容することができるといった効果を奏する。
【００３８】
そして、トラフ本体の縦溝にケーブル支持板の両側縁を嵌挿して立設したトラフはケーブル支持板の立設作業が極めて簡単であり、ケーブル支持板の上縁を蓋体の下面に当接させたトラフは耐圧強度が向上し、ケーブル挿通孔をベルマウス形状に設けたトラフはケーブルを損傷する心配がなく、ケーブル挿通孔を上下に複数列設けたトラフはケーブルを側方へ引き出しやすい、といった効果を併せて奏する。
【００３９】
また、ケーブル支持板に通信用のケーブル挿通孔と電力用のケーブル挿通孔を形成して電磁波遮断用の仕切り板で隔離したトラフは、通信ケーブルと電力ケーブルを整然と並べて隔離した状態で一緒に収容することができ、通信ケーブルが電力ケーブルから出る電磁波で悪影響を受けないといった効果を奏する。
【図面の簡単な説明】
【図１】本発明の一実施形態に係る電線共同溝用トラフの分解斜視図である。
【図２】同電線共同溝用トラフのトラフ本体の平面図である。
【図３】同トラフに使用されるケーブル支持板の正面図である。
【図４】同ケーブル支持板のＡ−Ａ線拡大断面図である。
【図５】同トラフの断面図である。
【図６】同トラフの埋設施工状態を示す概略断面図である。
【図７】本発明の他の実施形態に係る電線共同溝用トラフの断面図である。
【図８】本発明の更に他の実施形態に係る電線共同溝用トラフの断面図である。
【図９】本発明の電線共同溝用トラフに用いるケーブル支持板の他の例を示す正面図である。
【図１０】本発明の電線共同溝用トラフに用いるケーブル支持板の更に他の例を示す正面図である。
【符号の説明】
１　トラフ本体
１ａ　トラフ本体の側壁
１ｃ　縦溝
２　蓋体
３　ケーブル支持板
３ａ　ケーブル挿通孔（通信用のケーブル挿通孔）
３ｂ　ケーブル支持板の上縁
３ｃ，３ｄ　ケーブル支持板の両側縁
３ｆ　電力用のケーブル挿通孔
４　ケーブル（通信ケーブル）
４ａ　トラフから引き出すケーブル
６　電力ケーブル
８　電磁波遮断用の仕切り板
【図１】
2004120874.tif 000003
【図２】
2004120874.tif 000004
【図３】
2004120874.tif 000005
【図４】
2004120874.tif 000006
【図５】
2004120874.tif 000007
【図６】
2004120874.tif 000008
【図７】
2004120874.tif 000009
【図８】
2004120874.tif 000010
【図９】
2004120874.tif 000011
【図１０】
2004120874.tif 000012